(57)【要約】      （修正有）【課題】傘全体の長さを短くすることができ、収納に便利な、長柄ハンドルを内蔵した傘を提供する。【解決手段】傘本体のメインシャフト１、複数の受骨２、長柄ハンドル３が含まれている。本体のメインシャフトは伸縮可能な伸縮棒であり、複数の受骨は一端をヒンジシートで本体のメインシャフトと連結している。長柄ハンドルは本体のメインシャフトの外側に固定されている。長柄ハンドルは内部中空の長柄構造を採用している。傘を差す時の握り心地がよく、持ちやすく、消費者の体験感にもよく、折り畳み収納した後は、長柄ハンドルを複数の受骨に完全に差し込み、さらに傘全体の長さを短くすることができる。【選択図】図１
0003234692.tif 000002
【実用新案登録請求の範囲】
【請求項１】
長柄ハンドルを内蔵した傘であって、
伸縮することができる伸縮棒からなるメインシャフト（１）と、
複数の受骨（２）であって、これらの複数の受骨（2）の一端はヒンジシートでメインシャフト（１）と連結される複数の受骨と、
長柄ハンドル（３）であって、この長柄ハンドル（３）はメインシャフト（１）の外端に固定されており、この長柄ハンドル（３）は内部中空長柄構造を採用している長柄ハンドルと、
を有する
ように構成されたことを特徴とする、長柄ハンドルを内蔵した傘。
【請求項２】
請求項１に記載の長柄ハンドルを内蔵した傘であって、
長柄ハンドル（３）の長さが４ｃｍ〜１５ｃｍで、外側は人が持ちやすい円弧構造である
ように構成されたことを特徴とする、長柄ハンドルを内蔵した傘。
【請求項３】
請求項２に記載の長柄ハンドルを内蔵した傘であって、
この長柄ハンドル（３）の外径は、複数の受骨（２）を折り畳んだ後の金属尾端インナーリングの内径よりも小さい
ように構成されたことを特徴とする、長柄ハンドルを内蔵した傘。
【考案の詳細な説明】
【技術分野】
【０００１】
本考案は、折り畳み傘の技術分野に関するものであり、具体的には、長柄ハンドル内装型傘である。
【背景技術】
【０００２】
傘は日よけ或いは雨や雪よけの道具であり,一般的に油紙,布,ビニールなどで作られている。
傘の英語は「Umbrella」、ラテン語は「Umbra」で、日よけ、日陰を意味している。
【０００３】
現在、市場に出回っている傘の中で最も多いタイプは長柄傘と折り畳み傘である。
長柄傘は杖のようなもので傘のサイズが大きく、二人で傘を差すこともでき、雨よけ効果がよい。
折り畳み傘はコンパクトで持ち運びに便利畳みな傘で、1人で使えるようになっている。
【０００４】
しかし、現在販売されている折り畳み傘は明らかな問題点がある。
それは傘全体の長さをさらに短くするためにハンドルを短く、小さく作りがちになっていることである。
このように傘を収納する時、ハンドルは空間をとらないけど、消費者が使用するにはとても不便で、ハンドル全体が小さくて握りにくい。
もし、ハンドルを大きくデザインすれば、人が傘を収納する際、ハンドルが大きくて長い、しかも外に出てしまい、携帯するにスペースを取りすぎてしまう。
そのため、我々は長柄ハンドル内蔵式傘を提案する。
【考案の概要】
【考案が解決しようとする課題】
【０００５】
本考案は、上記の背景技術の問題点を解決するために、長柄ハンドル内蔵式傘を提供することを目的とする。
【課題を解決するための手段】
【０００６】
これらの目的を達成するために、本実用新案は次のような技術的解決方法を提供する。
【０００７】
〔第１考案〕
上記の課題を解決するために、本願の第１考案に係る長柄ハンドルを内蔵した傘は、
長柄ハンドル内蔵式傘はメインシャフトから始め、複数の受骨と長柄ハンドル３を含む。
該当メインシャフトは伸縮可能な伸縮棒であり、複数の受骨の一端はヒンジシートと通じてメインシャフトと連結されている。
該当の長柄ハンドルはメインシャフトの外側に固定され、長柄ハンドル３は内部中空の長柄構造を採用している構成とした。
【０００８】
〔第２考案〕
上記の課題を解決するために、本願の第２考案に係る長柄ハンドルを内蔵した傘は、
好ましいことは、長柄ハンドルの長さは「４ｃｍ〜１５ｃｍ」、外側は人が持ちやすい弧構造で、「４ｃｍ〜１５ｃｍ」の長さで持ちやすい構成とした。
【０００９】
〔第３考案〕
上記の課題を解決するために、本願の第３考案に係る長柄ハンドルを内蔵した傘は、
好ましいことは、長柄ハンドルの外径は、複数の受骨を折り畳み後の金属の末端の内側リングの内径より小さく、長柄ハンドルをちゃんと挿入でき、収納しやすい構成とした。
【００１０】
先行技術と比較して、本実用新案の有益な効果は、次のようである。
本実用新案は、従来の折り畳み傘のハンドルを最適化に改良することにより、傘を差す時の握り心地がよく、持ちやすく、消費者の体験感にもよく、折り畳み収納した後は、長柄ハンドルを複数の受骨に完全に差し込むことができ、さらに傘全体の長さを短くすることができ、傘全体の収納を便利にしている。
【図面の簡単な説明】
【００１１】
【図１】本実用新案の全体的な部分的断面構造の概略図。
【図２】本実用新案の長柄ハンドルを収納した後の内部構造図の部分断面図。
【図３】本実用新案の長柄ハンドルを収納した後の状態と従来のハンドルとの比較図。
【図４】本実用新案の長柄ハンドルを引き出した状態と従来のハンドルとの比較図。
【考案を実施するための形態】
【００１２】
［実施形態］
以下では、本実用新案の実施例中の添付図を合わせて、本実用新案における技術的解決手段について、添付図面を参照しながら明確かつ完全に説明する。
なお、説明する実施例は、本実用新案の中のひとつの実施例にすぎず、全ての実施例ではないことは明らかである。
本実用新案における実施例に基づいて、本分野の技術員が創造的な労働を伴わない前提で得られた他のすべての実施は、本実用新案の保護の範囲に該当する。
【００１３】
図１〜図４を参照すると、図の中の長柄ハンドル内蔵式傘は、メインシャフト１から始め、複数の受骨２と長柄ハンドル３を含む。
該当メインシャフト1は伸縮可能な伸縮棒であり、複数の受骨２の一端はヒンジシートと通じてメインシャフト１と連結されている。
該当の長柄ハンドル３はメインシャフト１の外側に固定され、長柄ハンドル３は内部中空の長柄構造を採用している。
【００１４】
このうち、長柄ハンドル３の長さが「４ｃｍ〜１５ｃｍ」で、外側は人が持ちやすい円弧状の構造になっている。４ｃｍより短いハンドルは既存の折り畳み傘で、人が握るとき、非常に持ちにくい。
【００１５】
このうち、長柄ハンドル３の外径は複数の受骨２を折り畳んだ後の金属末端内側の輪の内径より小さいので、長柄ハンドル３は折り畳んだ後傘の中に完全に挿入することができ、傘の全体長さを更に短くし、傘全体の収納を便利にしている。
【００１６】
［長柄ハンドル３を収納する原理］
まず、折り畳み傘を畳んで更に長柄ハンドル３を押し出し、複数の受骨２を折り畳んだ後の金属尾端にある内側輪の中に長柄ハンドル３を挿入することにより、長柄ハンドル３を完全に収納して隠すことができる。
これによって、全体の長さを更に短くし、全体の収納を便利にしている。
使用する時には長柄ハンドル３を正常に引き出すことができ、握り心地が良く、持ちやすく、消費者の体験感が良い。
【００１７】
なお、本文中の第１および第２のような関係用語は、単に１つのエンティティまたは操作を別のエンティティまたは操作から区別するために使用され、これらのエンティティまたは操作の間にそのような実際の関係または順序が存在することを必ずしも要求または暗示するものではない。
さらに、用語の「含む」またはそれらの他の任意の変形は、非排他的含みをカバーすることを意図しており、したがって、一連の要素を含むプロセス、方法、物品、または装置は、それらの要素だけでなく、明示的に記載されていない他の要素、またはそのようなプロセス、方法、物品、または装置に固有の要素も含む。
【００１８】
本実用新案の実施例が示され、説明されているが、本分野の一般技術者にとっては、本実用新案の原理と精神を逸脱することない状況の下で、実態例に対し様々な変更、補正、代替、型変えが可能である。
本実用新案の範囲は、添付の請求項及びそれらの均等物によって限定される。
【符号の説明】
【００１９】
１  メインシャフト
２  受骨
３  長柄ハンドル
【図１】
0003234692.tif 000003
【図２】
0003234692.tif 000004
【図３】
0003234692.tif 000005
【図４】
0003234692.tif 000006